【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
第１の検査情報に基づいて第１の放射線画像を撮影可能に構成されている第１の放射線撮影装置と、第２の検査情報に基づいて第２の放射線画像を撮影可能に構成されている第２の放射線撮影装置と、を備える放射線撮影システムであって、
前記第１の検査情報と前記第２の検査情報のうち所定の検査情報が重複している場合、前記第１の放射線撮影装置における前記第１の放射線画像の撮影に関する進捗情報に基づいて、前記第２の放射線撮影装置における前記第２の放射線画像の撮影を制御する制御手段を備えることを特徴とする放射線撮影システム。
【請求項２】
前記第１の放射線撮影装置の前記第１の検査情報を取得し、前記第１の検査情報と前記第２の検査情報との重複を判定する判定手段を備えることを特徴とする請求項１に記載の放射線撮影システム。
【請求項３】
前記第２の放射線撮影装置の前記制御手段は、前記第１の放射線画像の撮影が開始されたことを示す前記進捗情報を取得した場合、前記第２の放射線画像の撮影を許可しないことを特徴とする請求項１又は２に記載の放射線撮影システム。
【請求項４】
前記第２の放射線撮影装置の前記制御手段は、前記第１の放射線画像の撮影が開始されたことを示す前記進捗情報を取得した場合、前記第２の放射線画像の撮影が開始不可であることを示す進捗情報に、前記第２の放射線画像の撮影に関する進捗情報を更新することを特徴とする請求項３に記載の放射線撮影システム。
【請求項５】
前記第２の放射線撮影装置は、前記第２の検査情報を記憶する記憶手段を備え、
前記第２の放射線撮影装置の前記制御手段は、前記第１の放射線画像の撮影が終了したことを示す前記進捗情報を取得した場合、前記第２の放射線撮影装置の前記記憶手段から前記第２の検査情報を削除することを特徴とする請求項１乃至４の何れか１項に記載の放射線撮影システム。
【請求項６】
前記第２の放射線撮影装置の前記制御手段は、前記第１の放射線画像の撮影が中止されたことを示す前記進捗情報を取得した場合、前記第２の放射線画像の撮影を許可することを特徴とする請求項１乃至５の何れか１項に記載の放射線撮影システム。
【請求項７】
前記第２の放射線撮影装置の前記制御手段は、前記第１の放射線画像の撮影が中止されたことを示す前記進捗情報を取得した場合、前記第２の放射線画像の撮影が開始可であることを示す進捗情報に、前記第２の放射線画像の撮影に関する進捗情報を更新することを特徴とする請求項６に記載の放射線撮影システム。
【請求項８】
前記第１の放射線撮影装置は、前記検査情報を管理する情報管理手段から前記第１の検査情報を取得し、前記第１の放射線画像の撮影に関する進捗情報を前記情報管理手段に送信する制御手段を備えることを特徴とする請求項１乃至７の何れか１項に記載の放射線撮影システム。
【請求項９】
前記第１の放射線撮影装置は、前記第１の放射線画像の撮影に関する進捗情報を前記第２の放射線撮影装置に送信する制御手段を備えることを特徴とする請求項１乃至８の何れか１項に記載の放射線撮影システム。
【請求項１０】
第１の検査情報に基づいて第１の放射線画像を撮影可能に構成されている第１の放射線撮影装置と、第２の検査情報に基づいて第２の放射線画像を撮影可能に構成されている第２の放射線撮影装置と、を備える放射線撮影システムであって、
前記第２の放射線撮影装置は、
前記第１の放射線撮影装置の前記第１の検査情報を取得し、前記第１の検査情報と前記第２の検査情報との重複を判定する判定手段と、
前記第１の検査情報と前記第２の検査情報のうち所定の検査情報が重複している場合、前記第２の放射線画像の撮影に関する進捗情報を前記第１の放射線撮影装置に送信する制御手段と、を備え、
前記第１の放射線撮影装置は、前記第２の放射線画像の撮影に関する進捗情報に基づいて、前記第１の放射線画像の撮影を制御する制御手段を備えることを特徴とする放射線撮影システム。
【請求項１１】
前記第１の放射線撮影装置の前記制御手段は、前記第２の放射線画像の撮影が開始されたことを示す前記進捗情報を取得した場合、前記第１の放射線画像の撮影を許可しないことを特徴とする請求項１０に記載の放射線撮影システム。
【請求項１２】
前記第１の放射線撮影装置の前記制御手段は、前記第２の放射線画像の撮影が開始されたことを示す前記進捗情報を取得した場合、前記第１の放射線画像の撮影が開始不可であることを示す進捗情報に、前記第１の放射線画像の撮影に関する進捗情報を更新することを特徴とする請求項１１に記載の放射線撮影システム。
【請求項１３】
前記第１の放射線撮影装置は、前記第１の検査情報を記憶する記憶手段を備え、
前記第１の放射線撮影装置の前記制御手段は、前記第２の放射線画像の撮影が終了したことを示す前記進捗情報を取得した場合、前記第１の放射線撮影装置の前記記憶手段から前記第１の検査情報を削除することを特徴とする請求項１０乃至１２の何れか１項に記載の放射線撮影システム。
【請求項１４】
前記第１の放射線撮影装置の前記制御手段は、前記第２の放射線画像の撮影が未実施であることを示す前記進捗情報を取得した場合、前記第１の放射線画像の撮影を許可することを特徴とする請求項１０乃至１３の何れか１項に記載の放射線撮影システム。
【請求項１５】
前記判定手段は、前記第１の検査情報と前記第２の検査情報のうち所定の検査情報が重複していても、前記第２の放射線画像の撮影が未実施である場合、前記第２の放射線画像の撮影に関する進捗情報を前記第１の放射線撮影装置に送信せず、
前記第１の放射線撮影装置の前記制御手段は、前記第２の放射線画像の撮影に関する進捗情報を所定の時間内に取得しない場合、前記第１の放射線画像の撮影を許可することを特徴とする請求項１０乃至１３の何れか１項に記載の放射線撮影システム。
【請求項１６】
前記第１の放射線撮影装置の前記制御手段は、前記第２の放射線画像の撮影が中止されたことを示す前記進捗情報を取得した場合、前記第１の放射線画像の撮影を許可することを特徴とする請求項１０乃至１５の何れか１項に記載の放射線撮影システム。
【請求項１７】
前記第１の放射線撮影装置の前記制御手段は、前記第２の放射線画像の撮影が中止されたことを示す前記進捗情報を取得した場合、前記第１の放射線画像の撮影が未実施であることを示す進捗情報に、前記第１の放射線画像の撮影に関する進捗情報を更新することを特徴とする請求項１６に記載の放射線撮影システム。
【請求項１８】
第１の検査情報に基づいて第１の放射線画像を撮影可能に構成されている第１の放射線撮影装置から前記第１の検査情報を取得する第２の放射線撮影装置であって、
前記第２の放射線撮影装置は、
第２の検査情報に基づいて第２の放射線画像を撮影可能に構成されており、
前記第１の検査情報と前記第２の検査情報のうち所定の検査情報が重複している場合、前記第１の放射線撮影装置における前記第１の放射線画像の撮影に関する進捗情報に基づいて、前記第２の放射線撮影装置における前記第２の放射線画像の撮影を制御する制御手段を備えることを特徴とする放射線撮影装置。
【請求項１９】
第１の検査情報に基づいて第１の放射線画像を撮影可能に構成されている第１の放射線撮影装置と、第２の検査情報に基づいて第２の放射線画像を撮影可能に構成されている第２の放射線撮影装置と、による放射線撮影方法であって、
前記第２の放射線撮影装置は、
前記第１の検査情報と前記第２の検査情報のうち所定の検査情報が重複している場合、前記第１の放射線撮影装置における前記第１の放射線画像の撮影に関する進捗情報に基づいて、前記第２の放射線撮影装置における第２の放射線画像の撮影を制御する工程と、
を備えることを特徴とする放射線撮影方法。
【請求項２０】
コンピュータを請求項１乃至１７の何れか１項に記載の放射線撮影システムの各手段として機能させるためのプログラム。
【請求項２１】
対応する検査情報に基づいて放射線画像を撮影可能に構成されている複数の放射線撮影装置と、
前記複数の放射線撮影装置の一つと他の一つとにおける検査情報が共通である場合、前記一つの放射線撮影装置における撮影に関する進捗情報に基づいて、前記他の一つの放射線撮影装置における撮影を制御する制御手段と、
を備えることを特徴とする放射線撮影システム。
【請求項２２】
前記複数の放射線撮影装置の前記一つと前記他の一つとにおける検査が共通であるか否かを判定する判定手段をさらに備えることを特徴とする請求項２１に記載の放射線撮影システム。
【請求項２３】
前記制御手段は、前記複数の放射線撮影装置の前記一つにおける撮影が開始されたことを示す前記進捗情報を取得した場合、前記複数の放射線撮影装置の前記他の一つにおける撮影を許可しないことを特徴とする請求項２１又は２２に記載の放射線撮影システム。
【請求項２４】
前記制御手段は、前記複数の放射線撮影装置の前記一つにおける撮影が終了したことを示す前記進捗情報を取得した場合、前記複数の放射線撮影装置の前記他の一つにおける前記検査情報を削除することを特徴とする請求項２１乃至２３の何れか１項に記載の放射線撮影システム。
【請求項２５】
前記制御手段は、前記複数の放射線撮影装置の前記一つにおける撮影が中止されたことを示す前記進捗情報を取得した場合、前記複数の放射線撮影装置の前記他の一つにおける撮影を許可することを特徴とする請求項２１乃至２４の何れか１項に記載の放射線撮影システム。